(57)【要約】【課題】水道管の開口端部の形状が雌螺子タイプであっても、雄螺子タイプであっても、共用することができ、また管継手としても使用することのできる管継手兼用仮止水栓を提供する。【解決手段】水道管の開口端部に形成された雌螺子に螺合される雄螺子部２ａを先端部に有する中空の嵌合筒部２と、嵌合筒部２より大径で、水道管の開口端部に形成された雄螺子に螺合される雌螺子部３ａを基端部に有する中空のプラグ部３とよりなり、嵌合筒部２またはプラグ部３の中空部を閉止する閉止体５を取付け、取外し自在に設ける。【選択図】図２
2010037889.tif 000002
【特許請求の範囲】
【請求項１】
水道管の開口端部に螺合装着される管継手兼用仮止水栓であって、
水道管の開口端部に形成された雌螺子に螺合される雄螺子部を先端部に有する中空の嵌合筒部と、前記嵌合筒部より大径で、水道管の開口端部に形成された雄螺子に螺合される雌螺子部を基端部に有する中空のプラグ部とよりなり、前記嵌合筒部またはプラグ部の中空部を閉止する閉止体を取付け、取外し自在に設けることを特徴とする管継手兼用仮止水栓。
【請求項２】
前記閉止体は、前記嵌合筒部またはプラグ部の内周面に螺着される請求項１に記載の管継手兼用仮止水栓。
【請求項３】
前記プラグ部の外面の一部が六角形状に形成されている請求項１または２に記載の管継手兼用仮止水栓。
【発明の詳細な説明】
【技術分野】
【０００１】
本発明は、水道管の修理、交換工事または新設工事に際して、管路内の流体の流れを一時的に止めるための仮止水栓に関し、必要に応じて管継手として使用することのできる管継手兼用仮止水栓に関するものである。
【背景技術】
【０００２】
一般に、建築物の新築工事においては、予め水道管を壁や床の内部に配管するとともに、その水道管の先端部を、台所や風呂場等の蛇口設置位置に向けて配置し、壁等の内装工事がほぼ終了した後に、水道管の開口端部に蛇口等の水道器具を装着するようにされている。ところが、何らかの事情で水道管が破損していた場合に、その破損状態のままで内装工事を完了させると、破損個所が特定できなかったり、あるいは特定できても補修が困難であるという問題点がある。
【０００３】
このため、通常、水道管の配管後、内装工事の完了前に、配管に通水して水圧をかけて漏水の有無を確認する通水試験が行われる。この通水試験では、水道管の開口端部に蛇口等の水道器具を装着する訳にはいかないため、その開口端部に仮止水栓を装着して配管からの漏水を防ぐようにされている。
【０００４】
一方、既存建築物においても、老朽化等によって水道管が破損した場合等に、破損した水道管に仮止水栓を取り付け、新たに配管がなされるまでその仮止水栓によって止水を行うようにされている。
【０００５】
従来、上述のような仮止水栓として、水道管の開口端部に形成された雌螺子に螺合される雄螺子部を先端に有するとともに、この雄螺子部の基端側にプラグ部を有し、このプラグ部の基端外周部が六角形状に形成されてなる構成のものが知られている。この仮止水栓は、基端部の六角形状部にレンチ等の工具を係合させ、先端の雄螺子部を水道管の雌螺子に螺合させて締め付けることで、水道管の開口端部に取り付けられて止水される。
【０００６】
また、水道管の開口端部が雌螺子ではなく、雄螺子の場合には、その雄螺子に螺合される雌螺子部が内周面に形成されたキャップ（ソケット）を被せて、螺合し締め付けることにより止水される。
【０００７】
しかしながら、上記従来の仮止水栓形状では、水道管の開口端部の形状（雌螺子タイプおよび雄螺子タイプ）に合わせて、プラグ式およびソケット式の２種類の仮止水栓を用意し、それらを使い分ける必要があるために、製造コストがかかるだけでなく、在庫管理面でも煩雑になるという問題点がある。
【発明の開示】
【発明が解決しようとする課題】
【０００８】
本発明は、前述のような問題点に鑑みてなされたもので、水道管の開口端部の形状が雌螺子タイプであっても、雄螺子タイプであっても、共用することができ、しかも必要に応じて管継手としても使用することのできる管継手兼用仮止水栓を提供することを目的とするものである。
【課題を解決するための手段】
【０００９】
前記目的を達成するために、本発明による管継手兼用仮止水栓は、
水道管の開口端部に螺合装着される管継手兼用仮止水栓であって、
水道管の開口端部に形成された雌螺子に螺合される雄螺子部を先端部に有する中空の嵌合筒部と、前記嵌合筒部より大径で、水道管の開口端部に形成された雄螺子に螺合される雌螺子部を基端部に有する中空のプラグ部とよりなり、前記嵌合筒部またはプラグ部の中空部を閉止する閉止体を取付け、取外し自在に設けることを特徴とするものである。
【００１０】
本発明において、前記閉止体は、前記嵌合筒部またはプラグ部の内周面に螺着されるのが好ましい。
【００１１】
また、本発明において、前記プラグ部の外面の一部が六角形状に形成されているのが好ましい。
【発明の効果】
【００１２】
本発明の管継手兼用仮止水栓を仮止水栓として使用する際には、嵌合筒部またはプラグ部の中空部に閉止体を取り付けた状態とされる。この仮止水栓は、水道管の開口端部が雌螺子の場合には、雄螺子部をその開口端部に螺合させて締め付けることでその開口端部に取り付けられる。また、水道管の開口端部が雄螺子の場合には、雌螺子部をその開口端部に螺合させて締め付けることでその開口端部に取り付けられる。こうして、水道管の開口端部の形状に拘わらず、仮止水栓を共用することができ、従来のように２種類のものを用意する必要がなくなり、在庫管理が楽になるとともに、製造コスト低減を図ることができる。
一方、嵌合筒部またはプラグ部から閉止体を取外すことで、基端から先端に至る貫通孔を形成することができるので、本発明の管継手兼用仮止水栓を管継手として用いることができる。また、閉止体を取外した状態で、所望の位置で切断することで、蛇口等の壁面に対する位置合わせを容易に行うことができる。
【００１３】
本発明において、閉止体を、中空の嵌合筒部または中空のプラグ部の内周面に螺着することで、この閉止体の取付け、取外しを容易に行うことができる。
【００１４】
また、プラグ部の外面の一部を六角形状に形成すると、管継手兼用仮止水栓を締め付ける際にその六角形状の部分をレンチ等の工具で容易に締め付けることができ、より利便性が向上する。
【発明を実施するための最良の形態】
【００１５】
次に、本発明による管継手兼用仮止水栓の具体的な実施の形態について、図面を参照しつつ説明する。
【００１６】
図１には、本発明の一実施形態に係る管継手兼用仮止水栓の斜視図（ａ）および正面図（ｂ）が示され、図２には、同管継手兼用仮止水栓の断面図が示されている。
【００１７】
本実施形態の管継手兼用仮止水栓１は、硬質の合成樹脂にて成形され、先端部に、水道管の開口端部に形成された雌螺子に螺合される雄螺子部２ａを有する嵌合筒部２が設けられ、この嵌合筒部２の基端側にその嵌合筒部２より大径で、水道管の開口端部に形成された雄螺子に螺合される雌螺子部３ａを有するプラグ部３が連設されて構成されている。
【００１８】
嵌合筒部２は中空円筒状で、内周面に雌螺子部２ｂを有している。そして、この嵌合筒部２の中空部には、外周面に雄螺子部５ａを有する閉止体５が雌螺子部２ｂに螺着されて配されており、この閉止体５によって管継手兼用仮止水栓１の先端部が塞がれている。また、この閉止体５の両端面の中央部にはレンチ等の係合穴６，７が設けられていて、この閉止体５が嵌合筒部２に対して取付け、取外しできるようにされている。
【００１９】
一方、プラグ部３は中空円筒状で、基端部外面に六角形状部４を有し、この六角形状部４にレンチ、スパナ等の工具を係合させて回動できるようにされている。ここで、六角形状部４の各辺とその辺に対向する辺との間の距離は、プラグ部３の円筒状部の外径と等しくなるようにされている。
【００２０】
このように構成される管継手兼用仮止水栓１は、水道管の新設工事もしくは補修工事に際して、仮止水栓として次のようにして使用される。なお、この管継手兼用仮止水栓１を仮止水栓として使用する場合には、閉止体５を嵌合筒部２の内周面に螺着させた状態（図２の状態）とされる。
【００２１】
まず、図３に示されるように、水道管８の開口端部８ａが雌螺子９を有する形状の場合には、管継手兼用仮止水栓１における嵌合筒部２の雄螺子部２ａをその開口端部８ａの雌螺子９に螺合させ、基端側の六角形状部４をレンチ等の工具で締め付けることでその開口端部８ａに管継手兼用仮止水栓１を装着する。こうして、開口端部８ａを密封して水道水によって水圧がかかっても嵌合筒部２の先端部が閉止体５によって閉止されているので、確実に止水することができる。
【００２２】
一方、図４に示されるように、水道管８の開口端部１０ａが雄螺子１１を有する形状の場合には、管継手兼用仮止水栓１のプラグ部３の雌螺子部３ａをその開口端部１０ａに螺合させ、六角形状部４をレンチ等の工具で締め付けることでその開口端部１０ａに管継手兼用仮止水栓１を装着する。こうして、開口端部１０ａを密封して水道水によって水圧がかかっても嵌合筒部２の先端部が閉止体５によって閉止されているので、確実に止水することができる。
【００２３】
このように、本実施形態の管継手兼用仮止水栓１によれば、水道管の開口端部８ａ，１０ａの形状に拘わらず、１個の管継手兼用仮止水栓１を共通に用いることができる。したがって、従来のように水道管の開口端部の形状に合わせて、プラグ式およびソケット式の２種類の仮止水栓を用意し、それらを使い分ける必要がなくなり、在庫管理が楽になるとともに、製造コスト低減を図ることができる。
【００２４】
次に、本実施形態の管継手兼用仮止水栓１を管継手として使用する場合には、図５（ａ）に示されるように、閉止体５の係合穴６，７にレンチ等を係合させてその閉止体５を嵌合筒部２の内周面から取外した状態とされる。こうすると、管継手兼用仮止水栓１には基端から先端に至る貫通孔が形成されることになり、図５（ｂ）に示されるように、嵌合筒部２の雄螺子部２ｂを水道管１２の開口端部の雌螺子に螺合させるとともに、プラグ部３の雌螺子部３ａを蛇口１３の雄螺子部に螺合することで、蛇口１３を壁面に沿って設置することができる。この場合、壁Ｗの壁面に合わせてプラグ部３の所要位置（切断線Ｌの位置）で切断することで、壁面に対する位置合わせを容易に行うことができる。なお、閉止体５を嵌合筒部２から取外す際には、先端部側（嵌合筒部２側）もしくは基端部側（プラグ部３側）のいずれの方向からでも取外すことができる。
【００２５】
このように本実施形態の管継手兼用仮止水栓１によれば、専用の管継手（ソケット）が手元にない場合などに、管継手として利用することができるので、その利用価値が極めて高い。なお、このような利用形態を考慮した場合、雄螺子部２の長さを長めに形成するのが好ましい。
【００２６】
図６には、本発明の他の実施形態に係る管継手兼用仮止水栓の断面図が示されている。
【００２７】
前記実施形態では、閉止体５を嵌合筒部２の中空部に配するものとしたが、本実施形態では、閉止体１４をプラグ部３の中空部に配するように構成している。このような構成によっても、前記実施形態と同様の作用効果を奏するものである、ただし、本実施形態において、閉止体１４の中央部に設けた係合穴１５にレンチ等を係合させて取外す際、その取外す方向は、基端部側（矢印Ａ方向）のみとなる。
【００２８】
図７には、本発明の更に他の実施形態に係る管継手兼用仮止水栓の断面図が示されている。
【００２９】
この実施形態では、六角形状部４をプラグ部３の中央部外面に形成したものである。このようにしても、前記各実施形態と同様の作用効果を奏することができる。なお、この六角形状部４は省略することもできる。
【００３０】
前記各実施形態では、管継手兼用仮止水栓１を合成樹脂製のものとして説明したが、その材質は金属製であっても良い。
【図面の簡単な説明】
【００３１】
【図１】本発明の一実施形態に係る管継手兼用仮止水栓の斜視図（ａ）および正面図（ｂ）
【図２】本実施形態の管継手兼用仮止水栓の断面図
【図３】本実施形態の管継手兼用仮止水栓の一使用状態説明図
【図４】本実施形態の管継手兼用仮止水栓の他の使用状態説明図
【図５】本実施形態の管継手兼用仮止水栓を管継手として使用する態様を示す断面図
【図６】本発明の他の実施形態に係る管継手兼用仮止水栓の断面図
【図７】本発明の更に他の実施形態に係る管継手兼用仮止水栓の正面図
【符号の説明】
【００３２】
１              管継手兼用仮止水栓
２              嵌合筒部
２ｂ            雄螺子部
３              プラグ部
３ａ            雌螺子部
４              六角形状部
５，１４        閉止体
６，７          係合穴
８，１０，１２  水道管
８ａ，１０ａ    開口端部
９              雌螺子
１１              雄螺子
１３              蛇口
【図１】
2010037889.tif 000003
【図２】
2010037889.tif 000004
【図３】
2010037889.tif 000005
【図４】
2010037889.tif 000006
【図５】
2010037889.tif 000007
【図６】
2010037889.tif 000008
【図７】
2010037889.tif 000009